(57)【要約】【課題】日々の食生活のデータを記録して編集処理することで、栄養の偏りや偏食の現状分析を個人で行うことができ、また健康管理の専門家に分析してもらう際のデータを蓄積するための端末装置、サーバ装置及び健康管理システムを提供する。【解決手段】端末装置は、食事の際に摂取した食べ物の画像データを取り込んで画像処理部１０で処理し、食事の時間情報とリンクさせてメールやデータ通信回線を使い、自宅や登録してある病院などの施設内のデータ蓄積装置またはＷＥＢ上のサーバ装置に送信する。サーバ装置は、端末装置から送信された毎日の食事の画像データを受信し蓄積して食事内容を記録する。これにより、食生活の内容を簡便に記録して健康管理に役立てることができる。【選択図】  図１
2004227210.tif 000002
【特許請求の範囲】
【請求項１】
食事の際に摂取した食べ物の画像データを取り込み、食事の時間情報と前記画像データとをリンクして送信することを特徴とする端末装置。
【請求項２】
データ入力手段を持ち、健康判断に有効な数値をデータ入力し送信することを特徴とする請求項１記載の端末装置。
【請求項３】
体重計に表示された数値データを撮影した画像データから数値データを取り込む手段を備え、この数値データを送信することを特徴とする請求項１記載の端末装置。
【請求項４】
音声入力手段を持ち、音声入力により健康判断に有効なデータを取り込み送信することを特徴とする請求項１記載の端末装置。
【請求項５】
距離測定手段により食べ物までの距離データを測定し、前記距離データと食べ物の画像データとを送信することを特徴とする請求項１記載の端末装置。
【請求項６】
請求項１から４までのいずれかに記載の端末装置から送信されたデータを受信し蓄積して食事内容と健康判断に有効なデータとを記録することを特徴とするサーバ装置。
【請求項７】
請求項５に記載の端末装置から送信された食べ物までの距離データと食べ物の画像データとを受信して、食べ物の種類と体積とを推定し、食べ物のカロリーを算出し蓄積することを特徴とするサーバ装置。
【請求項８】
１つの食べ物に対して複数の端末装置から送信された複数の画像データと距離データとを受信し、食べ物の体積を推定することを特徴とする請求項７記載のサーバ装置。
【請求項９】
所定の期間について摂取した食べ物のカロリーを画像データで表示することを特徴とする請求項７、８のいずれかに記載のサーバ装置。
【請求項１０】
所定の期間について摂取した食べ物のカロリーと健康判断に有効なデータの推移とを表示することを特徴とする請求項７、８のいずれかに記載のサーバ装置。
【請求項１１】
摂取した食べ物のカロリーと健康判断に有効なデータの推移に基づいて、健康状態に関するコメントを入力し蓄積することを特徴とする請求項１０記載のサーバ装置。
【請求項１２】
請求項１０記載のサーバ装置に蓄積された摂取した食べ物のカロリーと健康判断に有効なデータの推移を健康管理センターに提供し、健康管理センターから健康維持のためのアドバイスを受けることを特徴とする健康管理システム。
【発明の詳細な説明】
【０００１】
【発明の属する技術分野】
本発明は健康管理を目的として、特に日常の食生活を記録分析するために、日々の食事内容と健康判断に関する情報などを記録するための端末装置、サーバ装置及び健康管理システムに関する。
【０００２】
【従来の技術】
現代人の食生活は、生活様式の多様化に伴って、食事の摂取時間や摂取回数がばらばらになりがちで、この結果として栄養の偏りを生じやすい。
【０００３】
このような栄養の偏りを防止するためには、日々の食生活を管理することが必要となるが、食事の度に摂取した食べ物を記録し、そのカロリーを計算することは煩わしさを伴うため、なかなか実行できないものである。
【０００４】
従って、食物摂取に伴う健康管理においては、カロリー計算を容易に行うことが必要となる。
【０００５】
食べ物のカロリー測定に関して、食べ物の重量と画像データを用いて、画像処理によってカロリーを概算する方法が、（特許文献１）に記載されている。
【０００６】
また、体重の測定、管理については、医療機器分野、特に透析等において患者の重量の経過管理に用いられる測定装置が、（特許文献２）に記載されている。
【０００７】
【特許文献１】
特開２００１−２０８７４７号公報（段落番号０００６〜００２９）
【特許文献２】
特開平４−９５８２４号公報（第２頁下段左欄第１行〜第４頁下段左欄第２行）
【０００８】
【発明が解決しようとする課題】
しかし、これらのものは、日々の食生活において、摂取される食物のカロリーを計算し、また体重を測定管理して、健康管理に役立てるように作られたものではないため、摂取される食物のカロリーと体重等の健康判断に有効なデータとを関連付けて記録する装置が求められている。
【０００９】
本発明は、このような問題を解決するためになされたもので、日々の食生活のデータを記録して編集処理することで、データを目視できるように表示し、または数値的に表示することで、栄養の偏りや偏食の現状分析を個人で行うことができるとともに、健康管理の専門家に分析してもらう際のデータを蓄積することが可能である端末装置、サーバ装置及び健康管理システムを提供することを目的とする。
【００１０】
【課題を解決するための手段】
この課題を解決するために本発明の端末装置は、食事の際に摂取した食べ物の画像データを取り込み、食事の時間情報と前記画像データとをリンクして送信し、また健康判断に有効なデータを送信することを特徴とする。
【００１１】
また、本発明のサーバ装置は、上記の端末装置から送信された毎日の食事の画像データを受信し蓄積して食事内容を記録し、健康判断に有効なデータを記録することを特徴とする。
【００１２】
これにより、食べ物の画像情報と食事の時間情報とをリンクして記録し、健康判断に有効なデータを記録することができ、食生活を記録して健康管理に役立てることができる。
【００１３】
【発明の実施の形態】
本願の請求項１に記載の発明は、食事の際に摂取した食べ物の画像データを取り込み、食事の時間情報と前記画像データとをリンクして送信することを特徴とする端末装置であり、朝食、昼食、夕食あるいは間食時に摂取した食べ物の画像データを取り込み、食事の時間情報とリンクさせてメールやデータ通信回線を使い、自宅や登録してある病院などの施設内のデータ蓄積装置またはＷＥＢ上のサーバ装置に送信するという作用を有する。
【００１４】
請求項２に記載の発明は、データ入力手段を持ち、健康判断に有効な数値をデータ入力して送信する端末装置であり、体重等の健康判断に有効な数値をデータ入力して送信することができ、食生活と体重の変化との関係を明確にして健康管理における指標とすることができる。
【００１５】
請求項３に記載の発明は、体重計に表示された数値データを撮影した画像データから数値データを取り込む手段を備え、この数値データを送信する端末装置であり、体重等の健康判断に有効な数値を画像データから取りこんで送信することができ、食生活と体重の変化との関係を明確にして健康管理における指標とすることができる。
【００１６】
請求項４に記載の発明は、音声入力手段を持ち、音声入力により健康判断に有効なデータを取り込み送信する端末装置であり、体重等の健康判断に有効な数値を音声入力して送信することができ、食生活と体重の変化との関係を明確にして健康管理における指標とすることができる。
【００１７】
請求項５に記載の発明は、距離測定手段により食べ物までの距離データを測定し、前記距離データと食べ物の画像データとを送信する端末装置であり、この距離データと画像データとをサーバ装置に送信することにより、サーバ装置において、食べ物の種類と体積を推定しサーバ側で保持するデータベースによって食べ物のカロリーを算出することができる。
【００１８】
請求項６に記載の発明は、上記端末装置から送信されたデータを受信し蓄積して食事内容と健康判断に有効なデータとを記録することを特徴とするサーバ装置であり、公衆回線または無線通信などの通信手段を用いて毎日の食事の画像データや健康判断に有効なデータが送信されることにより、食事内容のデータと健康判断に有効なデータとを関連付けて記録保存することができる。
【００１９】
請求項７に記載の発明は、上記端末装置から送信された食べ物までの距離データと食べ物の画像データとを受信して、食べ物の種類と体積とを推定し、食べ物のカロリーを算出し蓄積するサーバ装置であり、食べ物の種類と体積を推定しサーバ側で保持するデータベースによって食べ物のカロリーを算出する作用を有する。
【００２０】
請求項８に記載の発明は、１つの食べ物に対して複数の端末装置から送信された複数の画像データと距離データとを受信し、食べ物の体積を推定するサーバ装置であり、食べ物の体積をより正確に測定することができ、正確なカロリー計算が可能となる。
【００２１】
請求項９に記載の発明は、所定の期間について摂取した食べ物のカロリーを画像データで表示するサーバ装置であり、食生活の実態を具体的に１週間単位や１ヶ月単位で画像データとして確認できるという作用を有する。
【００２２】
請求項１０に記載の発明は、所定の期間について摂取した食べ物のカロリーと健康判断に有効なデータの推移とを表示するサーバ装置であり、食生活と健康判断に有効な数値、例えば体重推移データとの相関関係をグラフィカルに分析できるという作用を有する。
【００２３】
請求項１１に記載の発明は、摂取した食べ物のカロリーと健康判断に有効なデータの推移に基づいて、健康状態に関するコメントを入力し蓄積するサーバ装置であり、蓄積データにテキストデータでコメント入力ができ、健康管理アルバムまたは健康管理日記などとして記録を残すことができる。
【００２４】
請求項１２に記載の発明は、上記のサーバ装置に蓄積された摂取した食べ物のカロリーと健康判断に有効なデータの推移を健康管理センターに提供し、健康管理センターから健康維持のためのアドバイスを受けることを特徴とする健康管理システムであり、蓄積されたデータに基づいて実際の食生活に添った適切なアドバイスを得ることができ、食生活の改善を計ることができる。
【００２５】
以下、本発明の実施形態について図１から図８を用いて説明する。
【００２６】
（実施の形態１）
図１は本発明の実施の形態１による端末装置を示すブロック図である。図２は本発明の端末装置とＷＥＢサーバ装置との接続例を示す図である。図３は本発明の端末装置とサーバ装置との接続例を示す図である。図４は本発明の端末装置を用いて食べ物を撮影する様子を示す図である。
【００２７】
図１において、１は端末装置のデータバス、２はアドレスバス、３は端末装置を制御する制御部であり、この制御部３が時間情報を持っている。４は撮影した画像データと記録時間を保存するメモリ部、５は撮影する画像もしくは撮影した画像を確認する液晶部、６はメモリ部４に蓄積したデータをサーバ装置やＷＥＢサーバ装置にデータ通信するアンテナ部、７はデータを通信するための無線部、８はキー入力部、９は画像を電気信号に変換するイメージセンサ部、１０はイメージセンサ部９からの電気信号をデジタルの画像データに変換する画像処理部、１１は端末装置と撮影対象物との距離を測る距離測定部、１２は音声入力部である。
【００２８】
図２において１３は図１のブロック図で示した端末装置、１４はＷＥＢサーバ装置、１５は公衆回線である。図３において１３は図１のブロック図で示した端末装置、１６はサーバ装置、１７は無線通信手段である。図４において１３は図１のブロック図で示した端末装置、１８は食べ物である。端末装置１３として携帯端末装置を用いることができる。
【００２９】
ここで図１、図２、図３、図４を用いて実施の形態１を説明する。図４に示すように朝昼夜の食事の際と間食の際に、端末装置１３により食べ物１８をデジタル画像として取り込む。この時、図１のブロック図に示すようにキー入力部８により画像取り込みトリガをかけると、制御部３によりデータバス１とアドレスバス２により画像取り込み命令が画像処理部１０に伝えられる。
【００３０】
そこで、イメージセンサ部９より画像データを取り込み、画像処理部１０でデジタル信号処理を行う。この時、距離測定部１１で食べ物との距離データを取り込みメモリ部４に蓄積する。またここで実際に取り込んだデータに対してデータ量を減らした画像サムネイル（以下「サムネイル」と呼ぶ）を作成しメモリ部４に蓄積する。この時サムネイルを制御部３により液晶部５で確認できる。
【００３１】
また無線部７からアンテナ６を通して、メモリ部４に蓄積した画像データを取り込んだ時間データ、更に食べ物との距離データをアンテナ６によって、図２に示すように公衆回線１５を通して送信し、ＷＥＢサーバ装置１４にデータを蓄積する。または、図３に示すように無線通信手段１７を通してサーバ装置１６にデータを蓄積することで食生活に関するデータを記録することができる。
【００３２】
（実施の形態２）
図１を用いて実施の形態２を説明する。
【００３３】
毎日の食生活の記録と共に、健康判断に有効な情報の一つである体重の推移をも記録したい場合に、図１のキー入力部８から体重データを入力し、食生活のデータと共に体重のデータをメモリ部４に保存する。または、音声入力部１２から音声入力により体重のデータを入力し同じくメモリ部４に保存する。または、イメージセンサ部９よりデジタル表示体重計の数値表示部分の画像データを取り込み、画像処理部１０で２値化処理し、更に制御部３で数値データに変換し、メモリ部４に保存する。
【００３４】
このようにして端末装置に保存されたデータを、公衆回線１５を通して送信してＷＥＢサーバ装置１４に蓄積するか、無線通信手段１７を通してサーバ装置１６に蓄積する。このように健康判断に有効な数値、例えば体重を記録することで、食生活と体重の推移に対して手間をかけずにデータ保存することができる。
【００３５】
（実施の形態３）
図５、図６、図７、図８を用いて実施の形態３を説明する。
【００３６】
図５は本発明の端末装置と各サーバの接続図、図６は本発明の端末装置と食べ物の撮影の様子を示す図、図７は本発明のカロリー算出手段で得られたデータの表示の様子を示す図、図８は本発明の端末装置で撮影した画像データ等を表示した様子を示す図である。
【００３７】
図５において、端末装置１３はメモリ部４を有しており、サーバ装置１６は、食べ物の単位グラムに対するカロリーのデータベース１９を保持している。また、ＷＥＢサーバ装置１４は食べ物の単位グラムに対するカロリーのデータベース１９を保持している。端末装置１３は無線通信手段１７によってサーバ装置１６に接続され、あるいは公衆回線１５によってＷＥＢサーバ装置１４に接続されている。
【００３８】
図６においては、複数の端末装置１３ａ、端末装置１３ｂを異なる位置に配置して食べ物１８を撮影している。
【００３９】
図７はサーバ装置１６におけるデータ編集処理結果の画面２０の一例を示しており、このデータ編集処理結果の画面２０には、朝食のカロリーデータ２１、昼食のカロリーデータ２２、夕食のカロリーデータ２３、間食のカロリーデータ２４が表示されている。
【００４０】
図８はサーバ装置１６におけるデータ編集処理結果の画面２０の他の例を示しており、３食の画像データを表示するウインドウ２５、食べ物を食べた時間を表示するウインドウ２６、間食の画像データを表示するウインドウ２７が表示されている。
【００４１】
端末装置１３のメモリ部４に蓄積された画像データ等を、ＷＥＢサーバ装置１４もしくはサーバ装置１６に無線通信手段１７や公衆回線１５を用いてサーバ装置１６やＷＥＢサーバ装置１４に送信する。食べ物の画像データと距離データから、食べ物の種類と、摂取された食べ物全体に対してそれぞれの食べ物の占める割合を判別し、さらに食べ物が占める面積によりサーバ内のパラメータを用いて食べ物の体積を推定する。
【００４２】
次に、食べ物の体積にその比重をかけて食べ物の重さを算出し、更に食べ物の単位グラムに対するカロリーのデータベース１９を用いて摂取カロリーの概略を出す。このカロリー計算において、複数の端末装置１３ａ、１３ｂを異なる位置に配置して食べ物１８を撮影して距離情報を取得することで、カロリー算出の精度を上げることができる。なおこの時の撮影ポイント数は２つに限定されるものではない。
【００４３】
このようにして得られた食べ物のカロリー値をサーバ装置１６のデータ編集処理結果の画面２０によりグラフィカル表示する。この時、朝食のカロリー値を朝食のカロリーデータ２１で、昼食のカロリー値を昼食のカロリーデータ２２で、夕食のカロリー値を夕食のカロリーデータ２３で、間食のカロリー値を間食のカロリーデータ２４でといった具合に、カロリー摂取量を見やすい形で表示することができる。
【００４４】
また、朝昼夜の３食の画像データを表示するウインドウ２５、各食べ物を食べた時間を表示するウインドウ２６、３食以外の間食の画像データを表示するウインドウ２７を用いて、編集処理結果の画面２０において蓄積データを並べて表示することで、時系列的に食べたものの画像データを見ることができる。これにより、食生活の実態を自己認識でき、健康管理に役立てることができる。
【００４５】
【発明の効果】
以上のように本発明によれば、日々の食生活のデータを記録して編集処理することで、データを目視できるように表示し、または数値的に表示することで、栄養の偏りや偏食の現状分析を個人で行うことができる。
【００４６】
また健康管理の専門家に分析してもらう際のデータを蓄積することができ、実際の食生活に添った適切なアドバイスを得ることができ、食生活の改善が図られるという有利な効果が得られる。
【図面の簡単な説明】
【図１】本発明の実施の形態１による端末装置を示すブロック図
【図２】本発明の端末装置とＷＥＢサーバ装置との接続例を示す図
【図３】本発明の端末装置とサーバ装置との接続例を示す図
【図４】本発明の端末装置を用いて食べ物を撮影する様子を示す図
【図５】本発明の端末装置と各サーバの接続図
【図６】本発明の端末装置と食べ物の撮影の様子を示す図
【図７】本発明のカロリー算出手段で得られたデータの表示の様子を示す図
【図８】本発明の端末装置で撮影した画像データ等を表示した様子を示す図
【符号の説明】
１  データバス
２  アドレスバス
３  制御部
４  メモリ部
５  液晶部
６  アンテナ
７  無線部
８  キー入力部
９  イメージセンサ部
１０  画像処理部
１１  距離測定部
１２  音声入力部
１３  端末装置
１４  ＷＥＢサーバ装置
１５  公衆回線
１６  サーバ装置
１７  無線通信手段
１８  食べ物
１９  食べ物の単位グラムに対するカロリーのデータベース
２０  データ編集処理結果の画面
２１  朝食のカロリーデータ
２２  昼食のカロリーデータ
２３  夕食のカロリーデータ
２４  間食のカロリーデータ
２５  ３食の画像データを表示するウインドウ
２６  食べ物を食べた時間を表示するウインドウ
２７  間食の画像データを表示するウインドウ
【図１】
2004227210.tif 000003
【図２】
2004227210.tif 000004
【図３】
2004227210.tif 000005
【図４】
2004227210.tif 000006
【図５】
2004227210.tif 000007
【図６】
2004227210.tif 000008
【図７】
2004227210.tif 000009
【図８】
2004227210.tif 000010